(57)【要約】【課題】ＡＣアダプタ無しに、入力される交流電流からコードレス電話子機等の被充電機器の２次電池に充電を行いつつ、コードレス電話親機等に内蔵される他の電気機器にも電力の供給を可能とする。【解決手段】コードレス電話親機１０において、整流回路１２は、保護回路１１及びプラグ５０を通じて交流電源に接続され、入力される交流電源からの交流を整流する。発振回路１３は、整流回路１２と、コードレス電話子機３０の２次コイルに誘導電圧を誘起させる１次コイル１４に接続され、整流回路１２から供給される直流を所定の周波数で発振させて１次コイル１４に出力する。結合手段１５は、１次コイル１４に、電磁結合などで結合する。電力増幅回路１６は、結合手段１５を通じて電力を得て、得られた電力を増幅し、増幅した電力がトランス１７で変圧され、レギュレータ１８により定電圧化されて本体回路１９に供給される。【選択図】図１
2008017662.tif 000002
【特許請求の範囲】
【請求項１】
２次コイル及び前記２次コイルを通じて得られる電力により充電される２次電池を有する被充電機器と、相互誘導により前記２次コイルに誘導電圧を発生させる１次コイルを有する無接点充電器とを備えた充電システムにおける無接点充電器であって、
外部の電気機器と接続する端子と、
交流電源に接続され、入力される前記交流電源からの交流を整流する整流回路と、
前記整流回路と、前記１次コイルに接続され、前記整流回路から供給される直流を所定の周波数で発振させて前記１次コイルに出力する発振回路と、
前記１次コイルに結合する結合手段と、
前記結合手段を通じて電力を得て、得られた電力を前記端子を通じて外部の電気機器に供給する電力供給手段と、
を備えたことを特徴とする無接点充電器。
【請求項２】
前記結合手段は、
前記１次コイルに電磁結合される充電器内２次コイルであり、
前記電力供給手段は、
前記１次コイルからの相互誘導により前記充電器内２次コイルに発生する電力を前記端子を通じて外部の電気機器に供給する
ことを特徴とする請求項１に記載の無接点充電器。
【請求項３】
前記結合手段は、
前記１次コイルに結合されるタップであり、
前記電力供給手段は、
前記タップを通じて得られる電力を前記端子を通じて外部の電気機器に供給する
ことを特徴とする請求項１に記載の無接点充電器。
【発明の詳細な説明】
【技術分野】
【０００１】
本発明は、例えば、コードレス電話の親機に内蔵され、コードレス電話の子機の２次電池に対して充電を行う無接点充電器に関する。
【背景技術】
【０００２】
従来、コードレス電話では、外線の電話先に接続される親機本体と、その親機と無線で接続される子機で構成されており、子機の２次電池（バッテリ）の充電は、親機とは分離された専用の充電器で充電する方式が多く採用されていた。しかし、この方式は、親機と充電器とを別々に備える必要があり、コスト的な観点からみても経済的ではなく、また、デザイン的に優れていなかった。
【０００３】
そのため、近年では、親機に充電回路を内蔵し、内蔵した充電回路により子機の２次電池（バッテリ）を充電するコードレス電話が普及しつつある。このようなコードレス電話では、子機の２次電池を充電する際には、充電回路と接点により接続して、充電が行われていたが、接点不良や、経時変化による接点の変質などによる不具合を解消するため、電磁結合により、子機の２次電池を充電する無接点充電方式のものが採用されつつある（例えば、特許文献１参照）。
【特許文献１】特開２００３−１８７５８号公報
【発明の開示】
【発明が解決しようとする課題】
【０００４】
ところで、前述した無接点充電方式の充電回路を内蔵した親機本体では、直流により無接点充電回路を動作させ、また、内蔵している無線信号を送受信する無線部や表示部を動作させるため、交流を直流として供給する外付けのＡＣアダプタを必要としている。
【０００５】
図３は、従来のコードレス電話装置の構成を示した概略図であり、コードレス電話親機１００と、ＡＣ（Alternating Current：交流）の電力をＤＣ(Direct Current：直流)に変換してコードレス電話親機１００に供給するＡＣアダプタ９０と、コードレス電話子機３０とを備えている。図４は、図３のコードレス電話装置を実装した場合の回路構成図である。図３に示すように従来のコードレス電話装置では、まず、ＡＣアダプタ９０において、交流電源からプラグ９１を通じて得られた交流電流は、サージや異常電流からＡＣアダプタ９０を保護するための保護回路１１０に入力され、整流回路１２０により直流電流に変換される。そして、ＰＷＭ回路９２により、パルス幅変調され、トランス９３を通じて所定の交流電圧に変圧される。レギュレータ（安定化回路）９４では、トランス９３から得られる交流を整流して直流とし、定電圧化して直流電力としてコードレス電話親機１００に供給する。なお、フォトカプラ９５は、レギュレータ９４における出力電圧を安定化させるため、ＰＷＭ回路９２にフィードバックを行うために備えられる素子である。
【０００６】
ＡＣアダプタ９０からの直流電力の供給を受けたコードレス電話親機１００では、無接点充電を行うのに必要となる電圧を得るため、供給された直流電力の電圧を、ＤＣ／ＤＣコンバータ（アップコンバータ）１０１により昇圧し、昇圧した直流電力を発振回路１３０に供給する。発振回路１３０では、所定の周波数で直流電流を発振させ、１次コイル１４０に供給することにより、１次コイル１４０は、時間と共に変化する磁束を発生する。コードレス電話子機３０の２次コイル３１は、当該磁束により１次コイル１４０と電磁結合し、２次コイル３１に交流電圧が発生し、発生した交流電圧は、整流回路３２により直流電圧に変換されて２次電池３３に充電される。また、コードレス親機１００では、レギュレータ９４から供給された直流電力を、内部の無線部や表示部などを備えた本体回路１９０に供給する。
【０００７】
しかしながら、上記の従来の構成において、経済的なコスト面を考慮すれば、ＡＣアダプタ９０のような外付け部品が無いことが望ましく、また、デザイン的にも優れたものとなることから、市場よりＡＣアダプタを用いないコードレス電話装置が求められているという課題がある。
【０００８】
本発明は、上記課題を解決すべくなされたもので、その目的は、ＡＣアダプタを用いずに、入力される交流電流からコードレス電話子機等の被充電機器の２次電池に充電を行いつつ、コードレス電話親機等に内蔵される他の電気機器にも電力の供給を可能とする無接点充電器を提供することにある。
【課題を解決するための手段】
【０００９】
上記問題を解決するために、本発明は、２次コイル及び前記２次コイルを通じて得られる電力により充電される２次電池を有する被充電機器と、相互誘導により前記２次コイルに誘導電圧を発生させる１次コイルを有する無接点充電器とを備えた充電システムにおける無接点充電器であって、外部の電気機器と接続する端子と、交流電源に接続され、入力される前記交流電源からの交流を整流する整流回路と、前記整流回路と、前記１次コイルに接続され、前記整流回路から供給される直流を所定の周波数で発振させて前記１次コイルに出力する発振回路と、前記１次コイルに結合する結合手段と、前記結合手段を通じて電力を得て、得られた電力を前記端子を通じて外部の電気機器に供給する電力供給手段と、を備えたことを特徴とする無接点充電器である。
【００１０】
また、本発明は、上記に記載の発明において、前記結合手段は、前記１次コイルに電磁結合される充電器内２次コイルであり、前記電力供給手段は、前記１次コイルからの相互誘導により前記充電器内２次コイルに発生する電力を前記端子を通じて外部の電気機器に供給することを特徴とする。
【００１１】
また、本発明は、上記に記載の発明において、前記結合手段は、前記１次コイルに結合されるタップであり、前記電力供給手段は、前記タップを通じて得られる電力を前記端子を通じて外部の電気機器に供給することを特徴とする。
【発明の効果】
【００１２】
本発明によれば、無接点充電器は、外部の電気機器と接続する端子と、交流電源に接続され、入力される交流電源からの交流を整流する整流回路と、整流回路と１次コイルに接続され、整流回路から供給される直流を所定の周波数で発振させて１次コイルに出力する発振回路と、１次コイルに結合する結合手段と、結合手段を通じて電力を得て、得られた電力を前記端子を通じて外部の電気機器に供給する電力供給手段を備えた構成とした。これにより、１次コイルに発生する磁束により、例えば、コードレス電話子機などの被充電機器の２次電池に充電を行いつつ、結合手段により１次コイルの電力を得て、例えば、コードレス電話親機の無線部や表示部などの電気機器に対して電力の供給を行うことが可能となる。
【発明を実施するための最良の形態】
【００１３】
以下、本発明の実施形態を図面を参照して説明する。図１は、本実施形態によるコードレス電話装置１を示す概略ブロック図である。また、図２は、図１のコードレス電話装置１のコードレス電話親機１０の実装回路構成図を示した図である。
【００１４】
図１において、コードレス電話装置１は、交流電源にプラグ５０にて直接接続するコードレス電話親機１０と、コードレス電話子機３０とを備えている。コードレス電話子機３０は、コードレス電話親機１０の１次コイル１４と電磁結合し、相互誘導により交流電圧を発生する２次コイル３１と、２次コイル３１に発生する交流電圧を整流する整流回路３２と、整流回路３２により整流された直流電圧を充電する２次電池３３とを備えている。
【００１５】
コードレス電話親機１０は、交流電源に接続されるプラグ５０と、保護回路１１、整流回路１２、発振回路１３、１次コイル１４、結合手段１５、電力増幅回路１６、レギュレータ１８、無線部や表示部などを備えた本体回路１９とを備えている。保護回路１１は、
サージや異常電流からＡＣアダプタ９０を保護する回路である。整流回路１２は、交流電流を直流電流に整流する回路である。発振回路１３は、整流回路１２からの直流電流を所定の周波数で発振させ、発振させた電流を１次コイル１４に供給する。なお、発振回路１３の具体的な回路構成は、図４に示す通りであり、発振の動作は、１次コイル１４を含めた構成により、１次コイル１４を構成する１次コイル１４ａと１次コイル１４ｂのコイルのリアクタンスと、発振回路１３のコンデンサのキャパシタンスに応じた周波数で発振が行われる。一般的に、コードレス電話装置では、ＬＦ(Low Frequency)帯の周波数を発生するように構成されることになる。１次コイル１４は、発振された直流電流が供給されることにより、磁束を発生し、コードレス電話子機３０の２次コイル３１と電磁結合し、相互誘導により２次コイル３１に誘導電圧を発生させる。コードレス電話子機３０の整流回路３２は、２次コイル３１に発生した誘導電圧を整流し、整流された直流電圧が２次電池３３に充電される。
【００１６】
結合手段１５は、１次コイル１４から電力の１部を取り出す機能を有しており、具体的には、図４に示すように１次コイル１４と電磁結合する２次コイル１５ａや、１次コイル１４に接続するタップ等が適用される。
【００１７】
電力増幅回路１６は、結合手段１５から取り出された電力を増幅する回路であり、具体的には、図１４に示すようにダーリントントランジスタＱ１を用いて、整流回路１２の出力電流の供給により、結合手段１５からの電流の増幅を行って電力増幅を行う。トランス１７は、電力増幅回路１６から出力される交流電圧を本体回路１９に供給するのに必要な交流電圧に降圧する。レギュレータ（安定化回路）１８は、トランス１７から得られる交流を整流して直流とし、定電圧化して端子２１、２２を通じて本体回路１９に供給する。
【００１８】
上記の実施形態の構成により、コードレス電話親機１０の１次コイル１４に発生している磁束により、コードレス電話子機３０の２次コイル３１に誘導電圧が発生し、当該誘導電圧に基づいて、２次電池３３を充電することができる。そして、当該１次コイル１４に必然的に発生している電力の一部を、２次コイルやタップにより構成される結合手段１５により取り出し、コードレス電話親機１０の本体回路に供給することを可能とすることができる。
【００１９】
また、上記の実施形態と、従来技術として一般的に知られているＡＣを電圧変換トランス（電源トランス）により電圧変換した後、整流して所定のＤＣ電圧を生成する方法とを比較する。当該従来技術では、商用周波数（５０Ｈｚ／６０Ｈｚ）を直接電圧変換するため、大型で重量が多い変換トランスを必要としていたのに対して、本実施形態では、比較的高周波な無接点充電回路１０ａの発振回路（送電回路）信号を取り出す構成としたことで、従来技術のような変換トランスを必要とせず、簡単で廉価な手段にてＤＣ供給を行うことを可能としている。
【００２０】
また、上記の実施形態と図３及び図４に示した従来のコードレス電話親機１００とＡＣアダプタ９０の構成とを比較すると、本実施形態では、図３及び図４に示すような複雑で高価なＰＷＭ回路９２を構成する専用ＩＣなどを追加することなく、図２に示す一般的な電力増幅用トランジスタ（例えば、図２のダーリントントランジスタＱ２）でよく、また、電圧変換用トランス１７も高周波（１００ｋＨｚ〜１ＭＨｚ程度）トランスのため、極めて小型で簡易、かつ軽量で廉価に構成することが可能となる。また、この構成により、ＡＣアダプタ９０を必要としないことから、全体としてデザイン的にも優れた構成とすることができる。
【００２１】
また、本実施形態の構成では、図３及び図４に示す従来のコードレス電話親機１００とＡＣアダプタ９０の構成に比べて、前述したようにＰＷＭ回路９２、ＤＣ／ＤＣコンバータ１０１などを必要としないことから回路構成が複雑でなく、部品数も少なくすることができるため小型化することが可能となる。また、本実施形態の構成では、従来に比して部品数を少なくしたこと、また、充電のために高い電圧を得るためのＤＣ／ＤＣコンバータ１０１を必要としなくしたことなどから全体として消費電力の無駄が少なく低消費電力で構成することが可能となる。
【００２２】
なお、上記の実施形態において、図２に示す無接点充電回路は、上述したコードレス電話装置１以外の無接点充電を行う携帯電話機、電気剃刀機、バリカン、卓上掃除機、アイロン、リモートコントローラの充電器に適用するようにしてもよい。
【００２３】
なお、本発明に記載の充電システムとは、コードレス電話装置１に対応し、無接点充電回路とは、無接点充電回路１０ａに対応する。また、本発明に記載の１次コイルは、１次コイル１４に対応し、２次コイルは、コードレス電話子機３０の２次コイル３１に対応し、充電器内２次コイルは、結合手段１５に適用される２次コイル１５ａに対応する。また、本発明に記載の端子は、端子２１、２２に対応し、外部の電気機器は、本体回路１９に相当する。また、本発明に記載の電力供給手段は、直流電力供給回路１０ｂに対応する。
【図面の簡単な説明】
【００２４】
【図１】本実施形態に係るコードレス電話装置を示すブロック図である。
【図２】同実施形態に係るコードレス電話親機の回路構成例を示した図である。
【図３】従来技術に係るコードレス電話装置を示すブロック図である。
【図４】従来技術に係るＡＣアダプタとコードレス電話親機の回路構成例を示した図である。
【符号の説明】
【００２５】
１０  コードレス電話親機
１１  保護回路
１２  整流回路
１３  発振回路
１４  １次コイル
１５  結合手段
１６  電力増幅回路
１７  トランス
１８  レギュレータ
１９  本体回路
３０  コードレス電話子機
３１  ２次コイル
３２  整流回路
３３  ２次電池
【図１】
2008017662.tif 000003
【図２】
2008017662.tif 000004
【図３】
2008017662.tif 000005
【図４】
2008017662.tif 000006